(57)【要約】【課題】平坦に折り畳むことができ、箱状に戻すことで、底面が形成されるとともに、底部に緩衝空間が形成される包装箱を提供する。【解決手段】対向する一対の第一側部と、前記第一側部と直交して対向する一対の第二側部と、前記一対の第一側部のそれぞれの下端に折罫を介し、底面板、内側面板、床面板、接着板を順次設けてなる第１フラップと、前記一対の第二側部のそれぞれの下端に折罫を介し、折曲板と貼付板を順次設けてなる第２フラップとからなり、前記接着板を前記第一側部の内面に接着し、前記貼付板を前記底面板の外面に接着したことを特徴とする。【選択図】図１
2011168303.tif 000002
【特許請求の範囲】
【請求項１】
対向する一対の第一側部と、前記第一側部と直交して対向する一対の第二側部と、
前記一対の第一側部のそれぞれの下端に折罫を介し、底面板、内側面板、床面板、接着板を順次設けてなる第１フラップと、
前記一対の第二側部のそれぞれの下端に折罫を介し、折曲板と貼付板を順次設けてなる第２フラップとからなり、
前記接着板を前記第一側部の内面に接着し、前記貼付板を前記底面板の外面に接着したことを特徴とする包装箱。
【請求項２】
２つの前記内側面板どうしを係合する係合機構を設けたことを特徴とする請求項１に記載の包装箱。
【発明の詳細な説明】
【技術分野】
【０００１】
本発明は、包装箱に関するものである。詳細には、底に緩衝機能を設け、かつ、折り畳んだ状態から開くだけで底が形成される包装箱に関するものである。
【背景技術】
【０００２】
従来から、物品を保護し輸送を容易にするために、厚紙やダンボール等の包装箱が使用されている。物品によっては、軽い衝撃を受けただけで故障したり、品質が低下したりすることが有り、慎重な取扱いが必要になることがある。特に輸送時には、積卸し時の受渡しや移動中の振動等により故障や品質低下が発生することが多い。このため、このような製品を梱包する際には、何らかの緩衝材を包装箱とは別に用意しておき、精密機器類等の製品を包装箱に収納する際に、包装箱と製品の間に詰めたりしていた。
【０００３】
一般的に使用されている緩衝材として、発泡スチロールや発泡ポリエチレンなどの発泡緩衝材、或いはエアーキャップがあった。これらは軽量、かつ、比較的安価であり、十分な緩衝効果を有することから広く活用されてきた。また、発泡緩衝材、或いは、エアーキャップ等を紙箱の内面に貼りつけることも行われていた。
【０００４】
しかし、近年環境問題等により、包装箱と同一素材を用いて角筒状に形成した緩衝部材を箱体内面に必要数貼り付けて、緩衝効果を出すことや、或いは一枚のブランクを折り畳み、一部分に区画した緩衝空間を形成した包装箱も開発されてきた。（例えば、特許文献１、特許文献２）
一方、折り畳み可能な包装箱も知られている。これらの箱はシート材を切断して展開した状態から、その両側縁を接着剤または溶着により筒状に形成し、その底部を曲折自在とすることにより、箱状に組み立て、その状態より断面菱形から偏平に押しつぶすようにして平坦に折り畳むことができ、それにより、省スペースで運搬や保管ができるようになっている。（例えば、特許文献３）
公知文献を以下に示す。
【先行技術文献】
【特許文献】
【０００５】
【特許文献１】実開平４−４８１１０号公報
【特許文献２】特開平３−２７５４３７号公報
【特許文献３】特開平７−１１２７３３号公報
【発明の概要】
【発明が解決しようとする課題】
【０００６】
本発明は、箱状に組み立てた状態より、断面菱形から偏平に押しつぶすようにして平坦に折り畳むことができ、それにより、省スペースで運搬や保管ができ、且つ、折り畳まれた状態から箱状に戻すことで、底面が形成されるとともに、底部に緩衝空間が形成される包装箱を提供することを課題とする。
【課題を解決するための手段】
【０００７】
本発明は係る課題に鑑みなされたものであり、請求項１の発明は、対向する一対の第一側部と、前記第一側部と直交して対向する一対の第二側部と、
前記一対の第一側部のそれぞれの下端に折罫を介し、底面板、内側面板、床面板、接着板を順次設けてなる第１フラップと、
前記一対の第二側部のそれぞれの下端に折罫を介し、折曲板と貼付板を順次設けてなる第２フラップとからなり、
前記接着板を前記第一側部の内面に接着し、前記貼付板を前記底面板の外面に接着したことを特徴とする包装箱である。
【０００８】
本発明の包装箱は、上記の構成であるので、箱状に組み立てた状態より、断面菱形から偏平に押しつぶすようにして平坦に折り畳むことができ、折り畳まれた状態から箱状に戻すことで、底面が形成されるとともに、底部に緩衝空間を形成することが出来る。
【０００９】
本発明の請求項２の発明は、２つの前記内側面板どうしを係合する係合機構を設けたことを特徴とする請求項１に記載の包装箱である。
【００１０】
本発明はさらに、内側面板どうしを係合する係合機構を設けたことによって、底部の緩衝空間を強固に保持することが出来る。
【発明の効果】
【００１１】
本発明の包装箱は以上のように、箱状に組み立てた状態より、断面菱形から偏平に押しつぶすようにして平坦に折り畳むことができ、且つ、折り畳まれた状態から箱状に戻すことで、底面が形成されるとともに、底部に緩衝空間が形成されるので、物品を収納する前は、折り畳んで輸送や保管できるので、そのスペースが縮小でき、そのためのコストが低減できる。
【００１２】
また、物品を収納するときは、底部を開いて箱状に戻すことで、底面が形成されるとともに、底部に緩衝空間が形成されるので、手間がかからず、簡単に箱状に戻すことが出来、底部に緩衝空間を設けることが出来るので、輸送や保管時の衝撃を受けても、故障や品質低下から中の物品を保護することが出来る。
【図面の簡単な説明】
【００１３】
【図１】本発明の包装箱の一例の展開図である。
【図２】本発明の包装箱の一例の側面を部分的に透視した説明図である。
【図３】本発明の包装箱の一例の底を組み立てる状態を模式的に示した説明図である。
【発明を実施するための形態】
【００１４】
以下本発明を実施するための形態につき説明する。
【００１５】
図１は本発明の包装箱の一例の展開図、図２は本発明の包装箱の一例の側面を部分的に透視した説明図、図３は本発明の包装箱の一例の底を組み立てる状態を模式的に示した説明図である。
【００１６】
本例の包装箱は、板紙や段ボールを図１の展開図に示す形状に打ち抜き、折罫を設けたブランクを、折罫より折り曲げ、必要部分を接着して形成する。
【００１７】
図１のように、ブランクは、第一側部１と、第二側部２と、第一側部３と、第二側部４が折罫を介し、順次連設され、第一側部１の第二側部２とは反対側に糊代５が設けられている。
【００１８】
前記第一側部１、３の下端に折罫を介し、それぞれ底面板１１、３１と、内側面板１２、３２と、床面板１３、３３と、接着板１４、３４が順次設けられ、第１フラップを形成している。また、前記第二側部２、４の下端には、折罫を介し、それぞれ折曲板２１、４１と、貼付板２２、４２が順次設けられて、第２フラップを形成している。
【００１９】
更に、内側面板１２には、開口部６１が設けられ、底面板３１の下端から内側面板３２に向かって差込部６２が、内側面板３２を打ち抜いた切れ線により設けられている。この差込部５２は底面板３１に折罫を介さずに連続して設けられている。開口部６１に差込部６２を差し込むことによって、内側面板１２、３２どうしを係合する係合機構となっている。
【００２０】
前記第一側部３の上端には折罫を介し、蓋片３５と差込片３６が順次設けられ、蓋を形成している。また、第二側部２、４の上端には、側片２３、４３がそれぞれ設けられている。
【００２１】
本例の包装箱を組み立てるには、まず、接着板１４と床面板１３を折罫により包装箱の外側方向に直角に折り曲げ、更に床面板１３と内側面板１２の間、内側面板１２と底面板１１の間、底面板１１と第一側部１の間を折罫により包装箱の内側方向に直角に折り曲げ、次に、接着板１４を第一側部１に接着する。
【００２２】
同様に、接着板３４と床面板３３を折罫により包装箱の外側方向に直角に折り曲げ、更に床面板３３と内側面板３２の間、内側面板３２と底面板３１の間、底面板３１と第一側部３の間を折罫により包装箱の内側方向に直角に折り曲げ、次に、接着板３４を第一側部３に接着する。
【００２３】
そして、糊代５、第一側部１、第二側部２、第一側部３、第二側部４をそれぞれの間の折罫で折り曲げ、糊代５を第二側部４の内面側に接着する。
【００２４】
折曲板２１と貼付板２２を一緒に倒して、底面板１１に重ねて貼付板２２を底面板１１に接着する。また、同様に、折曲板４１と貼付板４２を一緒に倒して、底面板３１に重ねて貼付板４２を底面板３１に接着する。これにより、図２に示すような蓋の開いた包装箱が出来る。
【００２５】
図２の下部は透視図となっている。このように、断面形状で床面板１３、内側面板１２、底面板１１が、コの字となって接着板１４で第一側部１の内面に接着している。同様に、床面板３３、内側面板３２、底面板３１が逆コの字となって接着板３４で第一側部３の内面に接着している。このように正逆のコの字型の緩衝空間を形成している。そして、この緩衝空間は、断面がそれぞれ長方形となっている。
【００２６】
この包装箱を平坦に折り畳むには、折曲板２１と貼付板２２の間の折罫と折曲板４１と貼付板４２の間の折罫を押し込んで折り曲げる。それにしたがって、第一側部１と第二側部２の間の角度と、第一側部３と第二側部４の間の角度は狭まり、逆に、第二側部４と第一側部１の間の角度と、第二側部２と第一側部３の間の角度は広がり、やがて、第二側部４と第一側部１は平面に近い状態となり、また、第二側部２と第一側部３も平面に近い状態となる。
【００２７】
このとき同時に、第一側部１と底面板１１の間の角度と、床面板１３と内側面板１２の間の角度は狭まり、内側面板１２と底面板１１の間の角度は広がり、そして、床面板１３は第一側部１に近づいていく、同様に、第一側部３と底面板３１の間の角度と、床面板３
３と内側面板３２の間の角度は狭まり、内側面板３２と底面板３１の間の角度は広がり、そして、床面板３３は第一側部３に近づいていく。このとき、緩衝空間の断面形状は、長方形から平行四辺形を保ったまま角度だけが変化する。その結果、底部は箱の内方に折り畳まれる。そして、包装箱として全体が折り畳まれる。
【００２８】
そして、この折り畳まれた包装箱を使用する場合は、第一側部１と第二側部２の間の折罫と第一側部３と第二側部４の間の折罫を押して距離を近づけていくと、第一側部１と第二側部２の間の角度と、第一側部３と第二側部４の間の角度が開いていく、それに伴って、折曲板２１と貼付板２２の間の角度が開き、貼付板２２は底面板１１と接着しているので、底面板１１も起き上がる。底面板１１に連接した内側面板１２と床面板１３も移動し、床面板１３と第一側部１の間も広がってくる。
【００２９】
同様に、折曲板４１と貼付板４２の間の角度が開き、貼付板４２は底面板３１と接着しているので、底面板３１も起き上がる。底面板３１に連接した内側面板３２と床面板３３も移動し、床面板３３と第一側部３の間も広がってくる。すなわち、緩衝空間の断面は、平行四辺形のまま、角度だけ変化して、長方形に近づいていく。
【００３０】
このようにすると、図３のように、内側面板１２と内側面板３２が接近してくるので、内側面板１２に設けられた開口部６１に、底面板３１に連設された差込部６２を差込み、内側面板１２、３２どうしを係合する。この係合機構５によって、内側面板１２と内側面板３２は重なり合わされて固定される。
【００３１】
そして、底面板１１と底面板３１はほぼ同一平面になり、また、床面板１３と床面板３３もほぼ同一平面になる。これによって、底部が形成され、包装箱が組み立てられる。この組み立てられた包装箱に物品を収納し、２３と４３を内側に倒し、更に３５を倒して、３６を１の内側に差し込むことによって、包装箱に物品が包装される。
【００３２】
上記のように、本発明では、包装箱の底部に、底面板１１、３１と、内側面板１２、３２と、床面板１３、３３で、正逆のコの字状として、接着板１４、３４で第一側部１、３に接着させたので、底面板１１、３１が受けた衝撃が、床面板１３、３３の湾曲や、内側面板１２、３２の圧縮により緩和され、包装された物品への衝撃を和らげることが出来る。
【００３３】
また、折り畳んだ状態から、第一側部１と第二側部２の間の折罫と第一側部３と第二側部４の間の折罫を押すだけで、底部が形成され、必要に応じて、係合機構を底部に設けることで、更にしっかりと底部を形成することが出来る。
【００３４】
本発明の一例について、説明したが、本発明は、これに限定されるものではない。係合機構について、開口部６１を内側面板３２に設けて、差込部６２は内側面板１２を打ち抜いた切れ線により、底面板１１の下端から内側面板１２に向かって設けてもよい。また、差込部６２を床面板１３や床面板３３の上端から内側面板１２あるいは内側面板３２に向かって設けてもよい。このとき、開口部６１は内側面板１３あるいは内側面板３の上端に設ければよい。
【００３５】
また、糊代５と、第一側部１と、第二側部２と、第一側部３と、第二側部４のならびについてもこれに限ることは無く、第一側部１と第一側部３が対向し、第二側部２と第二側部４が対向するように包装箱が組み立てられればよい。
【００３６】
更に、４つの側部より上の部分、すなわち、蓋及びその周辺の構造についても、本例に限ることは無い。折り畳んだ場合に、この部分も平坦になり、折り畳みを阻害しない構造
であればかまわない。
【符号の説明】
【００３７】
１、３・・・第一側部
２、４・・・第二側部
５・・・糊代
１１、３１・・・底面板
１２、３２・・・内側面板
１３、３３・・・床面板
１４、３４・・・接着板
２１、４１・・・折曲板
２２、４２・・・貼付板
２３、４３・・・側片
３５・・・蓋片
３６・・・差込片
６１・・・開口部
６２・・・差込部
【図１】
2011168303.tif 000003
【図２】
2011168303.tif 000004
【図３】
2011168303.tif 000005